(57)【要約】【課題】万年筆のペン先において、ブランド名やペン先のサイズあるいは材質などのペン先に設けた刻印を目立たせ、また刻印の中にインキのカスが付着することがない万年筆のペン先を提供する。【解決手段】表面１ａに刻印６を有する万年筆のペン先２０であって、ペン先本体１の表面１ａ側に文字や絵柄あるいは模様などの形状を呈する凹部２を形成し、且つ凹部２にペン先本体１の表面１ａの色と異なる色の樹脂材からなる樹脂部材５を充填して刻印６を設ける。【選択図】図３
2011240517.tif 000002
【特許請求の範囲】
【請求項１】
表面に刻印を有する万年筆のペン先であって、ペン先本体の表面側に文字や絵柄あるいは模様などの形状を呈する凹部を形成し、且つ前記凹部に前記ペン先本体の表面の色と異なる色の樹脂材からなる樹脂部材を充填して刻印を設けたことを特徴とする万年筆のペン先。
【請求項２】
前記刻印を、前記ペン先本体の先端側に形成した切割りより後方位置に設けたことを特徴とする請求項１に記載の万年筆のペン先。
【請求項３】
前記樹脂部材の上面を、前記ペン先本体の表面から隆起させ且つ上面の外縁部を丸めたことを特徴とする請求項１項または２に記載の万年筆のペン先。
【発明の詳細な説明】
【技術分野】
【０００１】
本発明は、表面に刻印を有した万年筆のペン先に関する。
【背景技術】
【０００２】
従来、万年筆のペン先においては、特開２００２−３６２０８１号公報の図に記載があるように、ブランド名やペン先のサイズあるいは材質などの刻印を施したものが多い。この刻印は、金、金合金、ステンレス等の金属板材からなるペン先に対して、その表面を潰したり削ることによって、文字や模様あるいはや絵柄などの形状を呈するものであることから、刻印した部分の色がペン先を形成した金属板材の色と同色となり、刻印が目立たない場合があった。また刻印が、ペン先の表面に対して凹んでいることから、刻印の中にインキのカスが付着しやすいという問題があった。
【先行技術文献】
【特許文献】
【０００３】
【特許文献１】特開００２−３６２０８１号公報
【発明の概要】
【発明が解決しようとする課題】
【０００４】
本発明は、ペン先に設けた刻印を目立たせ、また刻印の中にインキのカスが付着することがない万年筆のペン先を提供することを目的とする。
【課題を解決するための手段】
【０００５】
本発明は、
「１．表面に刻印を有する万年筆のペン先であって、ペン先本体の表面側に文字や絵柄あるいは模様などの形状を呈する凹部を形成し、且つ前記凹部に前記ペン先本体の表面の色と異なる色の樹脂材からなる樹脂部材を充填して刻印を設けたことを特徴とする万年筆のペン先。
２．前記刻印を、前記ペン先本体の先端側に形成した切割りより後方位置に設けたことを特徴とする１項に記載の万年筆のペン先。
３．前記樹脂部材の上面を、前記ペン先本体の表面から隆起させ且つ上面の外縁部を丸めたことを特徴とする１項または２項に記載の万年筆のペン先。」である。
【０００６】
ペン先本体は、金、金合金、ステンレス等の金属板材をプレスによりペン先外形形状に打抜き加工した後に曲げ成形したもの、あるいは薄肉円筒形状の金属パイプを斜めに切断して軸筒と一体に成形したものである。また樹脂部材は、例えば実用新案登録第２５１３８６号公報に記載があるように、先端の細い突出孔から少量の液体を定量ずつ吐出できる吐出装置などを用いることで、簡単にペン先本体に形成した凹部に充填することができる。尚、樹脂材は、二液硬化型のウレタン樹脂材やエポキシ樹脂材などで、硬化する過程において凹部の内面に対して接着するものを用いることが好ましい。また、文字や絵柄あるいは模様などの形状を呈する凹部は、打刻や切削によりペン先本体の表面に形成すればよい。また、凹部に充填した樹脂部材の上面をペン先本体の表面に対して同一面とする場合には、凹部に対して樹脂材を盛り上がる程に注入して硬化させた後に、ヤスリや羽布で研磨して平らに形成すればよい。また、凹部に充填した樹脂部材の上面をペン先の表面に対して隆起させる場合には、凹部に対して樹脂材を盛り上がる程に注入して硬化させた後に、隆起した樹脂部材の上面の外縁部を羽布掛けして丸めればよい。
【発明の効果】
【０００７】
本発明の万年筆のペン先は、ペン先本体の表面側に形成した文字や絵柄あるいは模様などの形状を呈する凹部に充填した樹脂部材の色が、ペン先本体の表面に対して異なる色であることから、刻印の存在が目立つようになる。また刻印を、筆圧を受けた際に変形しにくい切割りより後方の位置に設けることで、凹部に充填した樹脂部材が脱落しにくくなる。また凹部に充填した樹脂部材の上面をペン先の表面より隆起させることで、さらに刻印の存在が目立つものとなり、この際に樹脂部材の上面の外縁を丸めることで、隆起した樹脂部材の間にインキが付着することを防止できるものとなる。
【図面の簡単な説明】
【０００８】
【図１】図１は実施例１の万年筆のペン先である。
【図２】図２は図１のＫ−Ｋ線断面図である。
【図３】図３は実施例２の万年筆のペン先である。
【図４】図４は図３のＬ−Ｌ線断面図である。
【図５】図５は表面に凹部を形成したペン先本体である。
【図６】図６は実施例のペン先をインキ吸入機構を有する万年筆に使用した状態の図で、ペン先をインキ瓶のインキに浸けた状態の図である。
【発明を実施するための形態】
【０００９】
ペン先に設けた刻印が目立ち、また刻印の中にインキのカスが付着することがない万年筆のペン先を実現した。
【実施例１】
【００１０】
図１、図２に示すペン先１０は、１４金からなるペン先本体１の表面１ａに、打刻により形成した「知」という文字形状の凹部２（図５参照）に対して、青色の樹脂部材３を充填して刻印４を形成してある。本実施例における樹脂部材３の上面３ａは、ペン先本体１の表面１ａと同一面であり、図５の状態のペン先本体１の凹部２に、吐出装置（図示せず）を用いて二液硬化型のエポキシ樹脂材を凹部２から盛り上がる程に注入して硬化させた後に、ヤスリで研磨して平らに形成したものである。
【実施例２】
【００１１】
図３、図４に示すペン先２０は、前記実施例１と同様に、１４金からなるペン先本体１の表面１ａに、打刻により形成した「知」という文字形状の凹部２（図５参照）に対して、緑色の樹脂部材５を充填して刻印６を形成してある。本実施例における樹脂部材５の上面５ａは、ペン先本体１の表面１ａに対して隆起させてあり、図５の状態のペン先本体１の凹部２に、吐出装置（図示せず）を用いて二液硬化型のエポキシ樹脂材を凹部２から盛り上がる程に注入して硬化させた後に、羽布掛けで上面５ａの外縁部５ｂを丸めて形成してある。
【００１２】
尚、実施例１のペン先１０の刻印４および実施例２のペン先２０の刻印６は共に、ペン先本体１の先端側に形成した切割り１ｂより後方位置に設けてあり、また図６に示すように、ペン先１０（ペン先２０）を、インキ吸入式万年筆７に装着してインキ８が入ったインキ瓶９に浸けた場合でも、刻印４（刻印６）の中にインキ４のカスが付着することはなかった。
【産業上の利用可能性】
【００１３】
本発明構造は、インキ吸入式の万年筆のペン先としてだけでなく、軸筒内に交換可能なカートーリッジを装着する構造の万年筆のペン先としても使用できる。
【符号の説明】
【００１４】
１０…ペン先、１…ペン先本体、１ａ…表面、
２…凹部、３…樹脂部材、３ａ…上面、
４…刻印、
２０…ペン先、
５…樹脂部材、５ａ…上面、５ｂ…外縁部、
６…刻印、
７…インキ吸入式万年筆、８…インキ、９…インキ瓶。
【図１】
2011240517.tif 000003
【図２】
2011240517.tif 000004
【図３】
2011240517.tif 000005
【図４】
2011240517.tif 000006
【図５】
2011240517.tif 000007
【図６】
2011240517.tif 000008